(57)【要約】【課題】ＯＡ機器の動作信頼性を向上させる。【解決手段】天板１、後幕板２、左右の脚板３、３を組み合わせ、一方の脚板３に対し、商用電源用の避雷ユニットを内蔵するＯＡ機器用の分電装置４を組み込む。【選択図】図１
2005334098.tif 000002
【特許請求の範囲】
【請求項１】
ＯＡ機器用のテーブルの脚板に組込み可能な外枠と、該外枠に収納する商用電源用の避雷ユニットと、前記外枠と一体に組み立て、前記避雷ユニットの出力側に接続するコンセントと、該コンセントを脚板の前端面に露出させて前記外枠を脚板に組み込む取付グリルとを備えてなるＯＡ機器用の分電装置。
【請求項２】
前記外枠には、前記避雷ユニットの並列素子の劣化を検出して前記取付グリル上に表示する制御基板を収納することを特徴とする請求項１記載のＯＡ機器用の分電装置。
【請求項３】
前記外枠には、通信線用の補助避雷ユニットを収納し、前記取付グリル上には、前記補助避雷ユニットの入力側、出力側の各モジューラジャックを露出させることを特徴とする請求項１または請求項２記載のＯＡ機器用の分電装置。
【請求項４】
天板と、左右の脚板と、後幕板とを備えてなり、前記脚板の一方には、請求項１ないし請求項３のいずれか記載のＯＡ機器用の分電装置を組み込むことを特徴とするＯＡ機器用のテーブル。
【発明の詳細な説明】
【技術分野】
【０００１】
この発明は、ＯＡ機器（パーソナルコンピュータを含む事務用コンピュータの他、ファクシミリ、複写機などのコンピュータを内蔵する事務用機器をいう、以下同じ）の動作信頼性を向上させることができるＯＡ機器用の分電装置と、それを利用するＯＡ機器用のテーブルに関する。
【背景技術】
【０００２】
オフィス業務において、多種多様なＯＡ機器が使用されている。
【０００３】
そこで、ＯＡ機器を積載し、それを便利に使用するために、各種のＯＡ機器用のテーブルが古くから提案され、実用されている。たとえば、ＯＡ機器用の電気配線を収容する配線ダクトをテーブル内に設けることにより、電気配線がテーブルの天板上に散乱することがなく、体裁がよい上、電気配線を機械的に引っ掛けたりすることによるトラブルを未然に防止することができる（特許文献１、２）。また、バッテリを含むＯＡ機器用の電源装置をテーブルの脚部に組み込むことも知られている（特許文献３）。
【特許文献１】実開平４−１２９４４号公報
【特許文献２】特開２００４−９７８３３号公報
【特許文献３】特開２００２−８５１６４号公報
【発明の開示】
【発明が解決しようとする課題】
【０００４】
かかる従来技術の前者（特許文献１、２）によるときは、配線ダクトは、単に電気配線を収容して始末するスペースを作るだけであるから、ＯＡ機器に損傷を与える外来ノイズ、たとえば電源線を介して侵入する雷サージを阻止することができないという問題があった。一方、後者（特許文献３）によるときは、商用電源から独立のバッテリを内蔵しているから、電源線から侵入する外来ノイズの影響を受けることがないが、バッテリの充電を含む日常の保守作業が煩雑であり、実用性に欠けるという問題がある。
【０００５】
そこで、この発明の目的は、かかる従来技術の問題に鑑み、商用電源用の避雷ユニットを組み込むことによって、外来ノイズの侵入を阻止し、ＯＡ機器の動作信頼性を向上させることができるＯＡ機器用の分電装置と、それを利用するＯＡ機器用のテーブルを提供することにある。
【課題を解決するための手段】
【０００６】
かかる目的を達成するためのこの出願に係る第１発明（請求項１に係る発明をいう、以下同じ）の構成は、ＯＡ機器用のテーブルの脚板に組込み可能な外枠と、外枠に収納する商用電源用の避雷ユニットと、外枠と一体に組み立て、避雷ユニットの出力側に接続するコンセントと、コンセントを脚板の前端面に露出させて外枠を脚板に組み込む取付グリルとを備えることをその要旨とする。
【０００７】
なお、外枠には、避雷ユニットの並列素子の劣化を検出して取付グリル上に表示する制御基板を収納することができ、通信線用の補助避雷ユニットを収納し、取付グリル上には、補助避雷ユニットの入力側、出力側の各モジューラジャックを露出させることができる。
【０００８】
第２発明（請求項４に係る発明をいう、以下同じ）の構成は、天板と、左右の脚板と、後幕板とを備えてなり、脚板の一方には、第１発明に係るＯＡ機器用の分電装置を組み込むことをその要旨とする。
【発明の効果】
【０００９】
かかる第１発明の構成によるときは、外枠は、取付グリルを介し、避雷ユニットの出力側のコンセントをテーブルの脚板の前端面に露出させて脚板に組み込むことができる。そこで、テーブル上のＯＡ機器は、コンセントから電源を給電することにより、避雷ユニットを介して電源線からの雷サージを有効に阻止することができ、雷サージによって誤動作したり、破損したりするおそれがなく、動作信頼性を格段に向上させることができる。ただし、避雷ユニットの入力側は、たとえばプラグ付きの延長ケーブルを介して商用電源に接続するものとし、延長ケーブルは、外枠の外部に引き出す着脱自在の中継コネクタを介し、避雷ユニットの入力側に切離し可能に接続することが好ましい。
【００１０】
なお、避雷ユニットは、雷サージ電流の通過を阻止するためのたとえばインダクタンス素子を含む直列素子と、雷サージ電流を大地に高速放電させるためのたとえば酸化亜鉛素子などの非直線特性の並列素子とを適切に組み合わせて構成することができる。そこで、並列素子は、使用中の経年劣化があり得るから、たとえば商用電源電圧に対するリーク電流を検出して劣化を検出し、取付グリル上に表示する制御基板を設けることにより、並列素子の交換の要否を表示することができる。なお、並列素子は、商用電源の各相と大地間に接続する他、直列素子の前後において各相間に接続することにより、ディファレンシャルモードの雷サージを除去することができる。
【００１１】
通信線用の補助避雷ユニットは、通信線を介して外部と通信するＯＡ機器を使用するとき、通信線から侵入する雷サージからＯＡ機器を有効に保護することができる。なお、補助避雷ユニットも、直列素子、並列素子を組み合わせて構成するものとし、商用電源用の避雷ユニットと機械的に一体に組み立てることにより、電源線、通信線の一方から他方に誘導する雷サージがＯＡ機器に到達する可能性を最少に抑えることができる。
【００１２】
第２発明の構成によるときは、第１発明に係る分電装置が脚板に組み込まれているから、天板上に積載するＯＡ機器を適切に保護し、第１発明の作用効果を容易に実現することができる。
【発明を実施するための最良の形態】
【００１３】
以下、図面を以って発明の実施の形態を説明する。
【００１４】
ＯＡ機器用のテーブルは、天板１と、後幕板２と、左右の脚板３、３とを一体に組み立て、一方の脚板３にＯＡ機器用の分電装置４を組み込んでなる（図１、図２）。
【００１５】
脚板３、３は、それぞれ下部が前方に突出するＬ形に形成されており、下面には、高さ調節用のアジャスタボルト３ａ、３ａが付設され、上端には、天板１を支持するロッド３ｂが前向きに突設されている。脚板３、３の後面は、後幕板２を介して連結されており、後幕板２の上端には、天板１を位置決めするバー２ａが付設されている。そこで、天板１は、バー２ａを介して後端を位置決めし、脚板３、３、ロッド３ｂ、３ｂ上に固定して一体に組み立てることができる。
【００１６】
分電装置４は、取付グリル４ａを介し、一方の脚板３の前端面から脚板３に収納するようにして組み込まれている（図２、図３）。
【００１７】
分電装置４は、脚板３に組込み可能な金属製の外枠４ｂに対し、商用電源用の避雷ユニット１０、通信線用の補助避雷ユニット２０、２０用のシールドケース４ｃと、制御基板３０とを収納し（図３、図４）、取付グリル４ａ上に露出させる各２口の商用電源用のコンセント４ｄ、４ｄと一体に組み立てることにより、コンパクトなユニットとして構成されている。すなわち、避雷ユニット１０、補助避雷ユニット２０、２０は、共通のシールドケース４ｃ内に一体に組み込まれている。取付グリル４ａは、取付ビス４ａ1 、４ａ1 を介し、コンセント４ｄ、４ｄを脚板３の前端面に露出させるようにして分電装置４を脚板３に組み込むことができる（図２、図３）。各コンセント４ｄの受口は、アース付きであり、取付グリル４ａ上には、入力側、出力側の各通信線用のモジューラジャック４ｅ、４ｅが併せて露出している。
【００１８】
商用電源用の避雷ユニット１０は、商用電源の各相Ｕ、Ｖ間、各相Ｕ、Ｖと大地間に接続する並列素子Ａ、Ａ…と、各相Ｕ、Ｖに挿入する直列素子Ｂとを組み合わせて構成されている（図５）。ただし、各相Ｕ、Ｖ間の並列素子Ａ、Ａは、直列素子Ｂの前後に配設されている。また、通信線用の補助避雷ユニット２０、２０は、それぞれ避雷ユニット１０と同様に構成されている。ただし、補助避雷ユニット２０用の並列素子Ａ、直列素子Ｂの形式、定格は、避雷ユニット１０用の並列素子Ａ、直列素子Ｂと同一ではなく、両者の各並列素子Ａ、直列素子Ｂは、それぞれに要求される電気仕様に適合するように適切に選定されている。
【００１９】
商用電源用の避雷ユニット１０の入力側は、中継コネクタ１１、アース付きのプラグ１３付きの延長ケーブル１２を介して外部に引き出されている。また、直列素子Ｂの前段側の各並列素子Ａは、リーク電流を検出して劣化判定回路Ｃに導き、劣化判定回路Ｃの出力は、制御基板３０内において、フォトカプラ３１を介して出力制御回路３２に接続されている。避雷ユニット１０の出力側は、制御基板３０を経由してコンセント４ｄ、４ｄに分岐接続され、相Ｖには、負荷電流検出用のカレントトランスＣＴが配置されている。カレントトランスＣＴの出力は、整流平滑回路３３、比較回路３４を介して出力制御回路３２に導かれている。
【００２０】
なお、出力制御回路３２の出力側には、警報ブザＢＺを接続する他、取付グリル４ａ上に露出する表示ランプＬ1 、Ｌ2 が接続されている（図３、図５）。取付グリル４ａ上には、商用電源の相Ｕ、Ｖ間の電圧を表示する表示ランプＬ3 、警報ブザＢＺの停止スイッチＳＷが併せて露出されており、停止スイッチＳＷは、出力制御回路３２に接続されている。
【００２１】
通信線用の補助避雷ユニット２０、２０の入力側は、入力側のモジューラジャック４ｅに共通に引き出され、出力側は、出力側のモジューラジャック４ｅに共通に引き出されている。入力側、出力側の各モジューラジャック４ｅは、補助避雷ユニット２０、２０に対応する２回線を独立に接続することができる。なお、図４には、コンセント４ｄ、４ｄ、表示ランプＬ1 、Ｌ2 、Ｌ3 、停止スイッチＳＷなどを外枠４ｂの開放側（取付グリル４ａ側）の一辺に組み付けるために、補助基板４ｇ付きのサブシャーシ４ｆが併せて図示されている。
【００２２】
延長ケーブル１２の先端のプラグ１３を商用電源に接続すると、避雷ユニット１０を介してコンセント４ｄ、４ｄに商用電源を供給することができる。すなわち、テーブルの天板１上に積載する図示しないＯＡ機器は、コンセント４ｄ、４ｄから商用電源を給電することにより、正常に作動させるとともに、避雷ユニット１０により電源線を介して侵入する雷サージから適切に保護することができる。また、入力側のモジューラジャック４ｅに電話線を接続し、ＯＡ機器の通信ケーブルを出力側のモジューラジャック４ｅに接続すれば、補助避雷ユニット２０により、通信線から侵入する雷サージからＯＡ機器を保護することができる。なお、通信線用の補助避雷ユニット２０、２０は、異なる複数のＯＡ機器の通信用に使用可能である。また、商用電源が正常に供給されていることは、取付グリル４ａ上の表示ランプＬ3 に表示される。
【００２３】
制御基板３０は、カレントトランスＣＴを介して検出する負荷電流が過大であると、比較回路３４を介してそれを検出し、出力制御回路３２を介して警報ブザＢＺを作動させるとともに、表示ランプＬ2 を点灯させる。また、避雷ユニット１０の前段側の並列素子Ａ、Ａ…のいずれかが劣化してリーク電流が過大になると、劣化判定回路Ｃの出力信号が発生し、フォトカプラ３１を介して出力制御回路３２に伝達され、警報ブザＢＺが作動するとともに表示ランプＬ1 が点灯する。なお、警報ブザＢＺは、停止スイッチＳＷを操作して作動を停止させることができるが、表示ランプＬ1 、Ｌ2 は、それぞれの点灯原因がなくならない限り、点灯状態を継続する。
【００２４】
以上の説明において、外枠４ｂは、底板、蓋板の一方または双方を付設することにより、箱形に形成してもよい。なお、外枠４ｂは、シールド効果を有する鉄板製にすることが好ましい。
【図面の簡単な説明】
【００２５】
【図１】全体構成分解斜視図
【図２】要部拡大斜視図（１）
【図３】要部拡大斜視図（２）
【図４】要部拡大斜視図（３）
【図５】全体電気系統図
【符号の説明】
【００２６】
Ａ…並列素子
１…天板
２…後幕板
３…脚板
４…分電装置
４ａ…取付グリル
４ｂ…外枠
４ｄ…コンセント
４ｅ…モジューラジャック
１０…避雷ユニット
２０…補助避雷ユニット
３０…制御基板
特許出願人          森長電子株式会社
代理人  弁理士        松  田  忠  秋
【図１】
2005334098.tif 000003
【図２】
2005334098.tif 000004
【図３】
2005334098.tif 000005
【図４】
2005334098.tif 000006
【図５】
2005334098.tif 000007